(57)【要約】背もたれを座部に対して様々な前畳み位置に選択的に位置決めし、かつ少なくとも１つの前側位置へと固定することができる、座席組立体のための背もたれ調節機構が、錠止部材と界接するカム板を支持するコードラントを含み、このコードラントを回動自在に支持する腕を阻止する。腕は、第１固定肩を画定し、固定凹部を有する第２固定肩を画定するセクタ板を回動自在に支持する。錠止部材は、第１および第２固定肩の少なくとも一方と選択的に係合し、好ましくは、背もたれを選択した前畳み位置に固定するために選択的に錠止部材と係合するための一連の爪歯を含む。別法として、腕が、背もたれを１つの前畳み位置に固定するためのかど部分を含む。カム板を駆動するために、好ましくはギヤ組立体が設けてあり、コードラントによって作動するように支持されている。
2004522549.tif 000002
【特許請求の範囲】
【請求項１】
コードラントと、
前記コードラントを回動可能に支持する腕と、
前記腕と係合するために前記コードラントによって滑動可能に支持され、それによって前記コードラントを前記腕に対して複数の角位置の１つに選択的に固定する錠止部材と、
前記錠止部材を前記腕に対して位置決めするために、前記コードラントによって回動自在に支持されたカム板と、を備える調節機構。
【請求項２】
前記腕に向かって前記カム板を偏倚するための偏倚部材をさらに備え、前記コードラントを前記腕に対して複数の角位置の前記１つに固定するために、前記錠止部材が前記腕に対して偏倚される、請求項１に記載の調節機構。
【請求項３】
前記カム板が、前記錠止部材を滑動可能に偏倚するために前記錠止部材と界接するカム面を含む、請求項１に記載の調節機構。
【請求項４】
前記腕が、前記コードラントを前記腕に対して複数の角位置の前記１つに選択的に固定するために、前記錠止部材と選択的に係合するための複数の爪歯を含む、請求項１に記載の調節機構。
【請求項５】
前記腕が、前記錠止部材を阻止するためのかど部分を含み、それによって前記コードラントを前記腕に対して実質的に平行に位置決めする、請求項４に記載の調節機構。
【請求項６】
前記コードラントが、前記カム板を回動自在に支持し、前記錠止部材を滑動可能に支持する内板および外板を含む、請求項１に記載の調節機構。
【請求項７】
前記錠止部材が、幅広端に前記カム板と係合するための円弧面と、幅狭端に前記腕と係合するためのノッチとを含むくさび形本体である、請求項１に記載の調節機構。
【請求項８】
座部と、
リクライニング機構を介して前記座部と枢動可能に相互連結された背もたれと、
前記背もたれを前記座部に対して複数の前畳み位置の１つに調節可能に位置決めするために、前記背もたれに結合された前畳み機構と、を備える調節可能な座席組立体。
【請求項９】
前記前畳み機構が、
前記背もたれを支持するコードラントと、
前記座部に相互連結され、前記コードラントを回動自在に支持する腕と、
前記コードラントによって回動自在に支持されたカム板と、
前記背もたれを前記座部に対して複数の前記前畳み位置の１つに固定するために、前記コードラントに滑動可能に支持された錠止部材とを含む、請求項８に記載の調節可能な座席組立体。
【請求項１０】
前記カム板を前記腕に向かって偏倚して前記錠止部材を前記腕に押し付けるための偏倚部材をさらに備え、それによって前記背もたれを前記座部に対して複数の前記前畳み位置の１つに固定する、請求項９に記載の調節可能な座席組立体。
【請求項１１】
前記カム板が、前記錠止部材を前記腕に向かって滑動可能に偏倚するために前記錠止部材と界接するカム面を含む、請求項９に記載の調節可能な座席組立体。
【請求項１２】
前記腕が、前記背もたれを前記座部に対して複数の前記前畳み位置の１つに選択的に固定するために、前記錠止部材と選択的に係合するための複数の爪歯を含む、請求項９に記載の調節可能な座席組立体。
【請求項１３】
前記腕が、前記錠止部材を阻止するためのかど部分をさらに含み、それによって前記背もたれを前記座部に対して実質的に垂直に位置決めする、請求項１２に記載の調節可能な座席組立体。
【請求項１４】
コードラントと、
前記コードラントを回動自在に支持する腕と、
前記コードラントを前記腕に対して複数の前畳み位置に固定するために、前記コードラントによって滑動可能に支持され、前記腕と選択的に係合する錠止部材と、
前記錠止部材を選択的に偏倚して前記腕と係合させるために、前記コードラントによって回動自在に支持されたカム板と、
前記カム板を駆動するために、前記コードラントによって回動自在に支持されたギヤ組立体と、を備える、自動車座席用の調節機構。
【請求項１５】
前記カム板を前記腕に向かって偏倚するための偏倚部材をさらに備え、それによって前記コードラントを前記腕に対して固定するための前記錠止部材を前記腕と係合させて偏倚させる、請求項１４に記載の調節機構。
【請求項１６】
前記カム板が、前記錠止部材を滑動可能に偏倚するために前記錠止部材と選択的に係合するカム面を含む、請求項１４に記載の調節機構。
【請求項１７】
前記ギヤ組立体が、前記コードラントによって回動自在に支持された第１ギヤ板と、前記カム板に回動を選択的に付与するために、前記第１ギヤ板と噛合い係合しかつ前記カム板と作動連結する第２ギヤ板と、を含む、請求項１４に記載の調節機構。
【請求項１８】
座部と、前記座部に対して背もたれを枢動可能に支持するリクライニング機構とを備える調節可能な座席組立体であって、
前記リクライニング機構が、
前記背もたれを支持するコードラントと、
前記背もたれに相互に作動連結し、前記コードラントを回動自在に支持する腕と、
前記背もたれを前記座部に対して複数の前畳み位置に固定するために、前記コードラントによって滑動可能に支持され、前記腕と選択的に係合する錠止部材と、
前記錠止部材を選択的に偏倚して前記腕と係合させるために、前記コードラントによって回動自在に支持されたカム板と、
前記カム板を駆動するために、前記コードラントによって回動自在に支持されたギヤ組立体と、を含む調節可能な座席組立体。
【請求項１９】
前記腕とさらに係合させるために、前記カム板を偏倚して前記錠止部材と係合させるための偏倚部材をさらに含み、それによって前記背もたれを前記座部に対して前記前畳み位置に固定する、請求項１８に記載の調節可能な座席組立体。
【請求項２０】
前記カム板が、前記錠止部材を前記腕に向かって滑動可能に偏倚するために、前記錠止部材と選択的に係合するカム面を含む、請求項１８に記載の調節可能な座席組立体。
【請求項２１】
前記ギヤ組立体が、前記コードラントによって回動自在に支持された第１ギヤ板と、前記カム板に選択的に回動を付与するために、前記題１ギヤ板と噛合い係合しかつ前記カム板と作動連結する第２ギヤ板と、を含む、請求項１８に記載の調節可能な座席組立体。
【請求項２２】
第１固定肩を画定する腕と、
前記腕によって回動自在に支持され、固定凹部を有する第２固定肩を画定するセクタ板と、
前記第１および第２固定肩の少なくとも一方と選択的に係合する錠止部材と、
コードラントであって、前記腕に回動自在に支持され、前記コードラントを前記腕に対して第１および第２位置の一方に固定するための前記錠止部材を滑動可能に支持するコードラントと、
前記コードラントを前記第１および第２位置の一方に固定するための前記錠止部材と選択的に係合するために、前記コードラントによって回動自在に支持されたカム板と、を備え、
前記第１位置では、前記錠止部材を前記第１固定肩に対して偏倚し、第２位置では、前記錠止部材を前記固定凹部の中へと偏倚する、座席調節機構。
【請求項２３】
前記錠止部材が、前記第１と第２位置の間で前記コードラントが回動する間、前記第１および第２前記固定肩の両方と係合する、請求項２２に記載の座席調節機構。
【請求項２４】
前記コードラントを前記腕に対して前記水平位置に選択的に固定するために、前記カム板を前記錠止部材との係合に向かって偏倚するための偏倚部材をさらに備える、請求項２２に記載の座席調節機構。
【請求項２５】
前記カム板が、前記錠止部材を滑動可能に偏倚して前記腕および前記セクタ板の一方と係合させるために、前記錠止部材と選択的に係合するカム面を含む、請求項２２に記載の座席調節機構。
【請求項２６】
前記セクタ板と前記コードラントの間に一定の相対位置を可能にするために、前記腕と前記セクタ板を相互に作動連結するリンクをさらに備える、請求項２２に記載の座席調節機構。
【請求項２７】
前記コードラントが、前記カム板を回動自在に支持し、前記錠止部材を滑動可能に支持する筐体内板および筐体外板を含む、請求項２２に記載の座席調節機構。
【請求項２８】
前記カム板を駆動するために、前記コードラントによって回動自在に支持されたギヤ組立体をさらに備える、請求項２２に記載の座席調節機構。
【請求項２９】
前記ギヤ組立体が、前記コードラントによって回動自在に支持された第１ギヤ板と、前記カム板の回動を選択的に付与するために、前記第１ギヤ板と噛合い係合しかつ前記カム板と作動連結する第２ギヤ板と、を含む、請求項２８に記載の座席調節機構。
【請求項３０】
前記セクタ板と前記コードラントの間の一定の相対位置を可能にするために、前記腕と前記セクタ板を相互に作動連結するリンクをさらに備える、請求項２８に記載の座席調節機構。
【請求項３１】
前記コードラントを前記腕に対して前記水平位置に選択的に固定するために、前記カム板を前記錠止部材との係合に向かって偏倚するための偏倚部材をさらに備える、請求項２８に記載の座席調節機構。
【請求項３２】
前記カム板が、前記錠止部材を滑動可能に偏倚して前記腕および前記セクタ板の一方と係合させるために、前記錠止部材と選択的に係合するカム面を含む、請求項２８に記載の座席調節機構。
【請求項３３】
座部と、前記座部に対して背もたれを枢動可能に支持するリクライニング機構とを備える調節可能な座席組立体であって、
前記リクライニング機構が、
第１固定肩を画定する腕と、
前記腕によって回動自在に支持され、固定凹部を有する第２固定肩を画定するセクタ板と、
前記第１および第２固定肩の少なくとも一方と選択的に係合する錠止部材と、
コードラントであって、前記腕によって回動自在に支持され、前記コードラントを前記腕に対して第１および第２位置の一方に固定するための前記錠止部材を滑動可能に支持するコードラントと、
前記コードラントを前記第１および第２位置の一方に固定するための前記錠止部材と選択的に係合するために、前記コードラントによって回動自在に支持されたカム板と、を含み、
前記第１位置では、前記錠止部材を前記第１固定肩に対して偏倚し、前記第２位置では、前記錠止部材を前記固定凹部の中へと偏倚する、調節可能な座席組立体。
【請求項３４】
前記錠止部材が、前記第１と第２位置の間で前記コードラントが回動する間に、前記第１および第２前記固定肩の両方と係合する、請求項３３に記載の調節可能な座席組立体。
【請求項３５】
前記リクライニング機構が、前記カム板を駆動するために、前記コードラントによって回動自在に支持されたギヤ組立体をさらに含む、請求項３３に記載の調節可能な座席組立体。
【請求項３６】
前記ギヤ組立体が、前記コードラントによって回動自在に支持された第１ギヤ板と、前記カム板の回動を選択的に付与するために、前記第１ギヤ板と噛合い係合しかつ前記カム板と作動連結する第２ギヤ板とを含む、請求項３５に記載の調節可能な座席組立体。
【請求項３７】
前記セクタ板と前記コードラントの間に一定の相対位置を可能にするために、前記腕と前記セクタ板を相互に作動連結するリンクをさらに備える、請求項３３に記載の調節可能な座席組立体。
【請求項３８】
前記コードラントを前記腕に対して水平位置に選択的に固定するために、前記カム板を偏倚して前記錠止部材と係合させるための偏倚部材をさらに備える、請求項３３に記載の調節可能な座席組立体。
【請求項３９】
前記カム板が、前記錠止部材を滑動可能に偏倚して前記腕および前記セクタ板の一方と係合させるために、前記錠止部材と選択的に係合するカム面を含む、請求項３３に記載の調節可能な座席組立体。
【発明の詳細な説明】
【技術分野】
【０００１】
本発明は一般に、背もたれ調節機構に関し、さらに具体的には背もたれを複数の前側折畳み位置(forwａrd fold-down positions)に固定することができる背もたれ調節機構に関する。
【背景技術】
【０００２】
小型バンおよびスポーツ汎用車などの自動車市場は、極めて競争が激しく、したがって自動車メーカによる改良が集中するところである。特に、自動車メーカは、顧客を引き付けかつ繋ぎ止めようとして、このような市場における自動車の全体的な汎用性および快適性の向上に努めている。１つの重要な特徴は、融通性のある自動車の内装である。このような意味での融通性とは、特定の顧客ニーズに適合するように変更可能な座席配置を提供する内装機能を言う。例えば、顧客が、追加的な搭乗者用の１つまたは複数の中間座席を維持しつつ、拡張した貨物スペースを設けるために後部座席を取り払いたいと思う場合があろう。さらには、搭乗者が、前側または中間座席の背もたれを折り畳めるようにして、移動中の作業スペースを設けたいと思う場合もあろう。したがって搭乗者は、折り畳んだ背もたれ上にラップトップコンピュータを置いたり、または折り畳んだ背もたれを読み書き用の小型机として使用したりすることもできよう。
【０００３】
自動車の座席はまた、融通性を備える一方で、背もたれを幾つかの所望位置のいずれか１つの位置にリクライニングする機能など、着座者の快適性を維持するための特徴も備えていなければならない。様々な背もたれのリクライニング装置および前畳み調節機構が当業では一般に知られている。しかし、これまでの前畳み調節機構は、背もたれを座部に概ね平行な位置に前側へ折り畳みできるように、単に背もたれを解除するだけである。さらには、これまでの調節機構は、背もたれに１つの前畳み位置を設けるだけであり、しかもその位置に固定されない。従来のリクライニング装置または前畳み調節機構を含むこのような背もたれを前側折畳み位置にして、搭乗者が移動中に作業表面として使用したならば、自動車が停止するたびに問題が生じることになろう。平らに前畳みした背もたれでは、自動車の制動時および加速時に、例えば、ラップトップコンピュータまたは本などの作業表面上の物品が滑動し、背もたれから落下する恐れがある。
【０００４】
さらには、これまでの前畳み調節機構では、背もたれを解除して前側に畳むためには、その解除機構にかなりの力を加える必要がある。この必要な力で解除機構を突然解除すると、操作者が加えた力が解除機構を拘束する力に打ち勝つとき、しばしば操作者に衝撃を与えることになる。
【０００５】
しかも、これまでの背もたれ調節機構では、背もたれを前側に折り畳む前の背もたれのリクライニング位置によって、背もたれの前畳み位置が水平面に対して画定されるという特有の欠点を有する。例えば、前側に折り畳む前に背もたれが完全なリクライニング位置にあれば、背もたれは、前側折畳み位置で水平面に対して実質的に角度がつくことになる。これでは特に背もたれを作業スペースとして使用する場合に望ましくない。
【発明の開示】
【発明が解決しようとする課題】
【０００６】
したがって、操作者が背もたれを所望の前側位置に固定できる、背もたれに使用するための前畳み調節機構を提供することが当業界では望ましい。そのようにすれば、背もたれを前側に折り畳みできると共に、制動時にラップトップコンピュータまたは本などの物体が前側に滑動するのを防止するために十分な角度を設けることもできよう。さらには、背もたれの座部に対する初期リクライニング位置に関わらず、操作者が、背もたれを概ね水平位置すなわち水平に折り畳んだ位置に折り畳むことができる、背もたれに使用するための前畳み調節機構を提供することが当業界では望ましい。しかも、これまでの機構に付随する衝撃がなく、操作者が背もたれを駆動しやすい、背もたれのリクライニング装置および前畳み調節機構のための改良型解除機構を提供することが当業では望ましい。
【課題を解決するための手段】
【０００７】
本発明は、背もたれを座部に対して複数の前側折畳み位置に固定することができる調節機構を提供する。したがって、背もたれの背面を座部と平行に位置決めすることまたは座部に対して様々な鋭角に固定することができる。
【０００８】
本発明の原理によれば、本調節機構は、腕によって回動自在に支持した内板および外板を含む。腕は、内板と外板の間に滑動可能に支持されている、内板および外板を腕に対して複数の回動位置に固定するための錠止部材と選択的に係合するための複数の爪歯を有する第１部分を含む。カム板が、内板と外板の間に回動自在に支持され、偏倚部材によって偏倚されて錠止部材と係合する。カム板は、錠止部材を解放するように動作可能であり、背もたれを腕に対して前側に回動することができる。一旦、所望の位置に回動すると、本発明の調節機構は、その位置に背もたれを固定することができる。
【０００９】
本発明の１つの変形によれば、自動車座席用の調節機構が、コードラント(quadrant)と、コードラントを回動自在に支持する腕と、コードラントによって滑動可能に支持され、コードラントを腕に対して複数の前畳み位置に固定するために選択的に腕と係合する錠止部材と、錠止部材を選択的に偏倚して腕と係合させるために、コードラントによって回動自在に支持されたカム板と、カム板を駆動するために、コードラントによって回動自在に支持されたギヤ組立体とを含む。ギヤ組立体は、固定位置にあるとき、カムを錠止部材から切り離すのに必要な操作者の投入力を軽減するためにギヤ減速を提供する。ギヤ組立体は、コードラントによって回動自在に支持された第１ギヤ板と、カム板の回動を選択的に付与するために、第１ギヤ板と噛合い係合しかつカム板と作動連結する第２ギヤ板とを有することが好ましい。
【００１０】
本発明の別の変形によれば、座席調節機構が、第１固定肩を回動自在に画定する腕と、腕によって回動自在に支持され、固定凹部を有する第２固定肩を画定するセクタ板と、第１および第２固定肩の少なくとも一方と選択的に係合する錠止部材と、コードラントであって、腕によって回動自在に支持され、コードラントを腕に対して第１および第２位置の一方に固定するための錠止部材を滑動可能に支持するコードラントと、コードラントを第１および第２位置の一方に固定するための錠止部材と選択的に係合するために、コードラントによって回動自在に支持されたカム板とを含む。第１位置では、錠止部材が第１固定肩に対して偏倚され、第２位置では、錠止部材が固定凹部中へと偏倚される。カム板を駆動するために、好ましくはギヤ組立体が設けられ、コードラントによって作動するように支持されている。ギヤ組立体は、コードラントによって回動自在に支持された第１ギヤ板と、カム板の回動を選択的に付与するために、第１ギヤ板と噛合い係合しかつカム板と作動連結する第２ギヤ板とを含むことが好ましい。
【００１１】
本発明の追加的な利点および特徴は、添付の図面と共に以下の説明および添付の特許請求の範囲から明らかになる。
【発明を実施するための最良の形態】
【００１２】
特に図１および２を参照すると、座席組立体に使用するための調節機構１０が示してある。この調節機構１０は一般に腕１２を含み、この腕は、内板および外板１８、２０を含むコードラント１４の間に配置されかつそれに対して枢着され、さらに錠止部材２２によってコードラント１４に対して選択的に固定されている。この錠止部材２２にカム板２４が選択的に係合する。
【００１３】
腕１２の第１端部は、複数の爪歯２６を有する部分１６を含む。腕１２の第２端部は、直線往復型のリクライニング機構に連結するための穴２８を含むと共に、穴２９が調節機構１０のための枢軸（図６ａから７を参照）を設けるために含まれている。腕１２の第１端部は、第１側面３２、頂面３４、および第２側面３６を有する肩３０をさらに含む。この第１側面３２は、頂面３９との境目で腕１２のかど３８を形成する。
【００１４】
腕１２は、第１枢軸４０上で内板と外板１８、２０の間に配置されかつこれらを回動自在に支持する。この第１枢軸４０は、腕１２の穴４２に通して受けてある。第１枢軸４０は第１および第２円筒形延長部４４、４６を含み、これらは、それぞれ第１および第２穴４８、５０中に受け入れ可能でありかつそれらによって支持されている。第１枢軸４０は、半径方向に延長し、第１と第２円筒形延長部４４、４６の間に位置する支持軸受５２をさらに含む。この支持軸受５２は、腕１２に対してコードラント１４を回動自在に支持するための穴４２中に受け入れてある支持面５４を含む。
【００１５】
カム板２４も同様に内板と外板１８、２０の間に配置され、カム板２４の中央穴５８に通して受けてある第２枢軸５６によって回動自在に支持されている。この第２枢軸５６は、第１および第２円筒形延長部６０、６２を含み、これらは、それぞれ第１および第２穴６４、６６中に受け入れてありかつそれらによって支持されている。第２枢軸５６も同様に、半径方向に延長し、第１と第２円筒形延長部６０、６２の間に配置されている支持軸受６８を有する。この支持軸受６８は、カム板２４を回動自在に支持するための穴５８中に受け入れてある支持面７０を含む。
【００１６】
カム板２４の一端はカム面７２を含む。カム板２４の対向端は、ばね７６の第１端を繋止するための穴７４を含み、内板１８は、ばね７６の第２端を繋止するための穴７５を含む。このばね７６は第１回動方向にカム板２４を回動自在に偏倚し、それによってカム面７２を錠止部材２２に向かって偏倚し、次いでこの錠止部材が腕１２のかど３８に向かって押しやられて、この腕の第１側面３２に対接する。この位置では、コードラント１４が腕１２に対して第１直立位置に保持されている。横部材７８は、内板および外板１８、２０のそれぞれの穴８４、８６中に受け入れてある円筒形延長部８０、８２を含む。この横部材７８は、コードラント１４が腕１２に対して後向きに回動するのを阻止するために腕１２の面７９に接触する。
【００１７】
錠止部材２２は、幅広端にカム板２４のカム面７２と係合するための円弧面８８と幅狭端に配置したノッチ９０を有するくさび形部材である。このノッチ９０は、コードラント１４を腕１２に対して固定するために、腕１２の爪歯２６と係合するようになされている。リブ９２、９４が、錠止部材２２の面９６、９８から垂直に延長する。これらのリブ９２、９４は、内板および外板１８、２０のそれぞれのスロット１００、１０２内部で滑動自在に支持されており、錠止部材２２をこれらの内板と外板の間で滑動可能にする。錠止部材２２は、それが腕１２とカム板２４の間に界接するとき、スロット１００、１０２中で滑動する。カム板２４は、円弧面８８に作用して錠止部材２２を腕１２に対して偏倚する。
【００１８】
特に図１、３および４を参照して、調節機構１０の操作を詳細に説明する。第１の好ましい実施形態では、調節機構１０が、コードラント１４を腕１２に対して前側に枢動し、かつ複数の前傾位置に固定することができる。コードラント１４を前側に折り畳むためには、カム板２４が、ばね７６の偏倚力に逆らって回動し、錠止部材２２の円弧面８８に沿ってカム面７２を押しやって滑動させ、次いでその円弧面から離れるように移動させる。したがって、錠止部材２２が第１側面３２に隣接する引込み位置から肩３０の頂面３４上の突出位置まで移動するとき、錠止部材２２のリブ９２、９４が筐体内板および筐体外板１８、２０のスロット１００、１０２中で自由に滑動する。特に、カム板２４がばね７６の偏倚に逆らって回動するとき、錠止部材２２は、腕１２の第１側面３２とスロット１００、１０２の間に挟まれている。カム面７２が錠止部材２２との阻止係合から脱するとき、錠止部材２２の上方移動が自由になる。コードラント１４が回動するとき、筐体内板および外板１８、２０のスロット１００、１０２を画定する壁が、錠止部材２２が頂面３４上へと滑動するまでスロット１００、１０２中で錠止部材２２を押し上げる。コードラント１４を前側に回動し続けると、図３で最も適切に分かるように、錠止部材２２を頂面３４に沿って滑動させる。一旦、錠止部材２２が頂面３４に達すると、カム板２４が解放され、ばね７６が再びカム板２４を第１回動位置に偏倚することができる。カム面７２は、再びスロット１００、１０２内部の錠止部材２２を偏倚して錠止部材２２を再び頂面３４に押し付ける。
【００１９】
一旦、コードラント１４が十分に前側に回動したら、錠止部材２２が頂面３４から外れて爪歯部分１６上へと滑動する。カム板２４の偏倚のために、錠止部材２２は直ちに第１爪歯２６と噛み合い、コードラント１４を腕１２に対して第１前傾位置に保持する。
【００２０】
複数の別の前側固定位置は、再びカム板２４を操作して錠止部材２２を円弧面８８から切り離すことによって実現することができる。一旦切り離すと、所望の位置が得られるまで錠止部材２２は爪歯部分１６全体にわたって移動可能になる。所望の位置が得られたら、カム板２４を解放し、再び錠止部材２２を偏倚して爪歯部分１６の特定の歯２６と噛み合わせる。
【００２１】
コードラント１４を腕１２に対して直立位置に戻すためには、カム板２４を再びばね７６の偏倚力に逆らって回動させて、カム板２４を錠止部材２２から切り離す。コードラント１４が後向きに回動するとき、錠止部材２２が、第２側面３６に隣接する引込み位置から肩３０の頂面３４上の突出位置まで移動する。特に、錠止部材２２が腕１２の頂面３４上に滑動するまで、錠止部材２２は腕１２の第２側面３６とスロット１００、１０２の間に挟まれている。一旦、錠止部材２２が頂面３４上に達すると、カム板２４が解放され、ばね７６が再びカム板２４を第１回動方向に偏倚することができる。したがって、カム面７２は、スロット１００、１０２中の錠止部材２２を偏倚して錠止部材２２を頂面３４に押し付ける。コードラント１４が十分に後向きに回動すると、カム板２４の偏倚によって、錠止部材２２が、かど３８に向かってスロット１００、１０２内部を滑動して第１側面３２に対接し、それによってコードラント１４を直立位置に固定する。
【００２２】
図５を参照すると、本発明の第２の好ましい実施形態が調節機構１１０として示してある。この調節機構１１０は一般に腕１１２を含み、この腕は、内板および外板１１６、１１８を含むコードラント１１４の間に配置されかつそれに枢動自在に取り付けてある。このコードラント１１４は、カム板１２２が選択的に係合する錠止部材１２０によって腕１１２に対して選択的に固定される。
【００２３】
腕１１２の第１端部は、第１かど１２４、第２かど１２６、第１側面１２８、第１頂面１３０、第２頂面１３２、円弧面１３４、第２側面１３６、および第３頂面１３８を含む。第１かど１２４は、第１側面１２８と第３頂面１３８の間の互いに交わるところに形成されている。第２かど１２６は、第２頂面１３２と第２側面１３６が互いに交わるところに形成されている。腕１１２の第２端部は、枢軸を設けるための第１穴１４０および直線往復型のリクライニング機構（図６ａから７参照）と連結するための第２穴１４２を含む。腕１１２は、第１枢軸１４４上で内板および外板１１６、１１８を回動自在に支持する。
【００２４】
第１枢軸１４４は第１および第２円筒形延長部１４６、１４８を含み、これらは、筐体内板および筐体外板１１６、１１８中の穴１５０、１５２中に受け入れてあり、かつそれらの穴によって支持されている。第１枢軸１４４はまた、軸受面１５６を備える、半径方向に延長する支持軸受１５４を含む。第１枢軸１４４は、腕１１２の穴１５８に通して受けてあり、それによって第１枢軸１４４が、腕１１２に対してコードラント１１４を回動自在に支持する。
【００２５】
カム板１２２も同様に筐体内板と筐体外板１１６、１１８の間に配置され、それらの間でカム板１２２の中央穴１６２に通して受けてある第２枢軸１６０によって回動自在に支持されている。第２枢軸１６０は第１および第２円筒形延長部１６４、１６６を含み、これらは、内板および外板１１６、１１８中のそれぞれの穴１６８、１７０に受け入れてあり、かつそれらの穴によって支持されている。第２枢軸１６０はまた、軸受面１７４を備える、半径方向に延長する支持軸受１７２を含む。第２枢軸１６０は、腕１１２の穴１６２に通して受けてあり、それによって第２枢軸１６０が軸受面１７４回りにコードラント１１４を回動自在に支持する。
【００２６】
カム板１２２の一端はカム面１７６を含み、カム板１２２の対向端は、ばね１８０の第１端を繋止するための穴１７８を含む。ばね１８０は、カム板１２２とタブ１８２を貫通して形成した穴１８１の間で連結してある。タブ１８２は、内板１１６の頂面に沿って形成してある。ばね１８０は、カム板１２２を第１方向に回動自在に偏倚し、カム面１７６に錠止部材１２０を腕１１２の第１かど１２４に向かって偏倚させ、その腕の第１側面１２８に対接させる。錠止部材がこの位置にあるとき、内板および外板１１６、１１８は腕１１２に対して第１直立位置に保持されている。
【００２７】
錠止部材１２０は、腕１１２とカム板１２２の間に界接し、カム板１２２のカム面１７６に係合するための円弧面１８８を含む。カム板１２２は円弧面１８８に作用して錠止部材１２０を腕１１２に対して偏倚する。リブ１８６、１８８が、錠止部材１２０のそれぞれの面１９０、１９２から垂直に延長する。これらのリブ１８６、１８８は、内板および外板１１６、１１８のスロット１８４、１９６中に滑動自在に支持され、これらの内板と外板の間で錠止部材１２０を滑動可能にする。
【００２８】
先に説明したように、コードラント１１４を腕１１２に対して前側に折り畳み、かつ１つの前傾位置に固定することができる。コードラント１１４を前側に折り畳むためには、ばね１８０の偏倚方向に逆らってカム板１２２を第２方向に回動する。カム板１２２が第２方向に回動するとき、カム面１７６が、錠止部材１２０の円弧面１８８に沿って滑動し、次いでその円弧面から離れるように移動する。したがって、このカム面が腕１１２の第１側面１２８に隣接する引込み位置から、この腕の頂面１３０上の外向き位置まで移動するとき、内板および外板１１６、１１８のスロット１９４、１９６中で錠止部材１２０を自由に滑動させる。特に、カム板１２２が、ばね１８０の偏倚に逆らって回動するとき、錠止部材１２０は、腕１１２の第１側面１２８とスロット１９４、１９６の間に挟まれている。カム面１７６が移動して錠止部材１２０を阻止しなくなると、錠止部材１２０の上向きの移動が自由になる。内板および外板１１６、１１８のスロット１９４、１９６を画定する壁が、錠止部材１２０が腕１１２の第１頂面１３０上へと滑動するまで、錠止部材１２０をスロット１９４、１９６内部で押し上げる。一旦、錠止部材１２０が第１頂面１３０上に達すると、カム板１２２が解放されて、ばね１８０は再びカム板１２２を第１方向に偏倚可能になり、錠止部材１２０を第１頂面１３０に対してさらに偏倚する。
【００２９】
コードラント１１４が十分に前側に回動すると、錠止部材１２０が滑動して第１頂面１３０から外れて第２かど１２６に達する。錠止部材１２０は、カム板１２２によって偏倚されて第２かど１２６と係合する。錠止部材１２０と第２かど１２６が係合すると、コードラント１１４が腕１１２に対して前側位置に保持される。
【００３０】
コードラント１１４は、ばね１８０の偏倚に逆らって再びカム板１２２を回動することによってさらに前側に回動可能であり、カム板１２２と錠止部材１２０の係合を解除する。コードラント１１４は前側に回動して、錠止部材１２０をスロット１９４、１９６と第２頂面１３２の間に挟む。ここでも、スロット１９４、１９６を画定する壁が、錠止部材１２０が円弧面１３４上へと滑動するまで、スロット１９４、１９６内部で錠止部材１２０を押し上げる。一旦、錠止部材１２０が円弧面１３４と接触すると、再びカム板１２２が解放され、ばね１８０はカム板１２２を偏倚することができる。したがって、カム面１７６が、スロット１９４、１９６中で再び錠止部材１２０を押し下げ、錠止部材１２０を円弧面１３４に対して偏倚する。コードラント１１４を十分に後向きに回動することによって、再び錠止部材１２０が第２かど１２６内部に位置決め可能になり、コードラント１１４は第１前側位置に固定される。
【００３１】
ばね１８０の偏倚に逆らって再びカム板１２２を操作し、したがってカム板１２２を錠止部材１２０から切り離すことによって、コードラント１１４を初期直立位置まで後向きに回動することができる。コードラント１１４を後向きに回動するとき、錠止部材１２０がスロット１９４、１９６と第２頂面１３６の間に挟まれ、スロット１９４、１９６中で錠止部材１２０を押し上げ、第１頂面１３０上へと乗せる。コードラント１１４を十分に後向きに回動すると、カム板１２２によって錠止部材１２０が押し下げられて第１かど１２４と係合する。したがって、コードラント１１４は、第１直立位置に固定される。
【００３２】
図６ａ、６ｂ、６ｃおよび７を参照すると、調節機構１０が座席組立体２００中に実装されているのが示してある。この座席組立体２００は、背もたれ２０２、座部２０４、調節機構１０、および直線往復型のリクライニング機構２０６を含む。この直線往復型のリクライニング機構２０６はハンドル２０８を含み、当業で一般に知られたタイプである。直線往復型リクライニング機構２０６は、背もたれ２０２を座部２０４に対して枢動し、かつ背もたれ２０２を複数のリクライニング位置に固定するように操作可能である。背もたれ２０２が、それぞれ図６ａ、６ｂおよび６ｃに、直立位置、第１リクライニング位置、および第２リクライニング位置で示してある。背もたれ２０２を後向きにリクライニングするとき、調節機構１０が枢軸２１０回りに回動する。調節機構１０のコードラント１４によって、腕１２を介して背もたれ２０２を座部２０４に装着する。調節機構１０は、背もたれ２０２を座部２０４に対して前側に折り畳むために、ハンドル２１２によって背もたれ２０２を任意のリクライニング位置に操作可能である。図７は、図６ｂに示す第１リクライニング位置から背もたれ２０２を前側に折り畳んだ位置を例示する。しかし、上の説明では調節機構１０を使用したが、本発明に従って調節機構１１０を代用できることに留意されたい。
【００３３】
図８および９を参照すると、本発明の第３の好ましい実施形態が調節機構３１０として示してある。この調節機構３１０は一般に腕３１２を含み、この腕は、内板および外板３１８、３２０を含むコードラント３１４の間に配置され、それに枢動自在に装着されている。このコードラント３１４は、カム板３２４が選択的に係合する錠止部材３２３によって腕３１２に対して選択的に固定してある。このカム板３２４はギヤ組立体３２３を介して動作する。
【００３４】
腕３１２の第１端部は、複数の爪歯３２６を有する部分３１６を含む。腕３１２の第２端部は、直線往復型リクライニング機構に連結するための穴３２８を含み、穴３２９が調節機構３１０（図８および９参照）用の枢軸を設けるために備わっている。腕３１２の第１端部は、第１側面３３２、頂面３３４、および第２側面３３６を有する肩３３０をさらに含む。第１側面３３２は、頂面３３９との境目で腕３１２のかど３３８を形成する。
【００３５】
腕３１２は、第１枢軸３４０上で内板と外板３１８、３２０の間に配置され、これらを回動自在に支持する。この第１枢軸３４０は、腕３１２の穴３４２に通して受けてある。第１枢軸３４０は第１および第２円筒形延長部３４４、３４６を含み、これらは、それぞれの第１および第２穴３４８、３５０中に受け入れ可能であり、かつこれらによって支持されている。第１枢軸３４０は、半径方向に延長し、第１と第２円筒形延長部３４４、３４６の間に配置されている支持軸受３５２をさらに含む。この支持軸受３５２は、コードラント３１４を腕３１２に対して回動自在に支持するための穴３４２中に受け入れてある支持面３５４を含む。
【００３６】
ギヤ組立体は、内板と外板３１８、３２０の間で回動自在に支持されたカム板３２４と、内板と外板３１８、３２０の間でそれぞれ回動自在に支持された第１および第２ギヤ板３２５、３２７を含む。カム板３２４は、このカム板３２４の中央穴３５８に通して受けてある第２枢軸３５６によって回動自在に支持されている。この第２枢軸３５６は第１および第２円筒形延長部３６０、３６２を含み、これらは、それぞれの第１と第２穴３６４、３６６中に受け入れ可能であり、かつこれらによって支持されている。第２枢軸３５６はまた、半径方向に延長し、第１と第２円筒形延長部３６０、３６２の間に配置されている支持軸受３６８を含む。この支持軸受３６８は、カム板３２４を回動自在に支持するための穴３５８中に受け入れてある支持面３７０を含む。
【００３７】
第１ギヤ板３２５は、中央穴３３１と、駆動アーム３３３と、ケーブル（図示せず）と相互連結するためのケーブル解放穴３７４を含む。この第１ギヤ板３２５は、中央穴３３１と、ケーブル（図示せず）と相互連結するためのケーブル解放穴３７４を含む。この第１ギヤ板３２５は、下でさらに説明するように、第２ギヤ板３２７と噛合い係合するための中央部３３１から半径方向に延長する一連の歯３３５をさらに含む。中央部３３１は、コードラント３１４の内板３２０に回動自在に取り付けるために、この中央部の中に形成した円筒形柱部３３７をさらに含む。この円筒形柱部３３７は、支持面を有し、内板３１８中に形成した穴３４１に通して受けてある。本発明では第１ギヤ板３２５内部に形成した円筒形柱部３３７を含むが、この円筒形柱部３３７は、適切な手段によって第１ギヤ３２５に付着された別体の部材であってもよいことを想定しており、それは本発明の範囲内であると考えるべきである。
【００３８】
第２ギヤ板３２７は、中央部３４３と、係合面３７１を有する反動アーム３４５を含む。中央部３４３は、下でさらに論じるように、第１ギヤ板３２５と噛合い係合するために、この中央部から半径方向に延長する一連の歯３４７を含む。中央部３４３は、コードラント３１４の内板および外板３１８、３２０に回動自在に取り付けるために、この中央部の中に形成した第１および第２円筒形柱部３４９、３５１をさらに含む。コイルばね３７６の第１端が第２円筒形柱部３５１に付着し、外板３２０の穴３７５は、このばね３７６の第２端を繋止するためにある。このばね３７６は、第２ギヤ板３２７を第１回動方向に回動自在に偏倚してカム面３７２を錠止部材３２２に向かって偏倚し、次に、この錠止部材が、かど３３８に向かって押しやられて腕３１２の第１側面３３２に対接する。この位置では、コードラント３１４が腕３１２に対して第１直立位置に保持される。第１および第２円筒形柱部３４９、３５１は、支持面を含み、内板および外板３１８、３２０中に形成した穴３５３、３５５に通して受けてある。本発明は、第２ギヤ板３２７内部に形成されている円筒形柱部３４９、３５１を含むが、この円筒形柱部３４９、３５１は適切な手段によって第２ギヤ板３２７に付着された別体の部材であってもよいことを想定しており、それは本発明の範囲内であると考えるべきである。反動アーム３４５は、調節機構３１０の駆動時にカム板３２４と相互作用するための係合面３５７を含む。
【００３９】
カム板３２４は、それを貫通して形成した取付け穴３５８、カム面３２７を有する第１アーム３６１、および調節機構３１０の駆動時に第２ギヤ板３２７と相互作用するための係合面３６５を有する第２アーム３６３を含む。横部材３７８が、内板および外板３１８、３２０のそれぞれの穴３８４、３８６中にそれぞれ受け入れてある円筒形延長部３８０、３８２を含む。この横部材３７８は、コードラント３１４が腕３１２に対して後向きに回動するのを阻止するために腕３１２の面３３９に接触する。
【００４０】
錠止部材３２２は、幅広端にカム板３２４のカム面３７２と係合するための円弧面３８８と幅狭端に配置したノッチ３９０を有するくさび形部材である。このノッチ３９０は、コードラント３１４を腕３１２に対して固定するために腕３１２の爪歯３２６と係合するようになされている。リブ３９２、３９４が錠止部材３２２の面３９６、３９８から垂直に延長する。これらのリブ３９２、３９４は、内板および外板３１８、３２０のそれぞれのスロット３１００、３１０２内部で滑動可能に支持され、錠止部材３２２をこれらの内板と外板の間で滑動可能にする。錠止部材３２２は、それが腕３１２とカム板３２４の間で界接するとき、スロット３１００、３１０２中を滑動する。カム板３２４は円弧面３８８に作用して錠止部材３２２を腕３１２に対して偏倚する。
【００４１】
図８および９を引き続いて参照して、調節機構３１０の操作を詳細に説明する。第１の好ましい実施形態では、調節機構３１０が、コードラント３１４を腕３１２に対して前側に枢動可能にし、かつ複数の前傾位置に固定することができる。コードラント３１４を前側に折り畳むためには、第１ギヤ板３２５の駆動アーム３３３に力を加える。この加えた力が、第１ギヤ板３２５を回動させ、次に、それによってばね３７６の偏倚に逆らって第２ギヤ板３２７が回動する。第２ギヤ板３２７が回転すると、反動アーム３４５の係合面３７１がカム板３２４の第１アーム３６１から解放される。第２ギヤ板３２７がさらに回動すると、反動アーム３４５をカム板３２４の第２アーム３６３に対して作用させる。第２ギヤ板３２７とカム板３２４の第２アーム３６３が係合すると、カム板３２４を回動させ、カム面３７２を押しやって錠止部材３２２の円弧面３８８に沿って滑動させてこの円弧面から切り離す。したがって、錠止部材３２２のリブ３９２、３９４は、錠止部材３２２が第１側面３３２に隣接する引込み位置から肩３３０の頂面３３４上の突出位置まで移動するとき、筐体内板および筐体外板３１８、３２０のスロット３１００、３１０２中を自由に滑動する。さらに詳細には、カム板３２４が回動するとき、錠止部材３２２は、アーム３１２の第１側面３３２とスロット３１００、３１０２の間に挟まれている。カム面３７２が錠止部材３２２との阻止係合から外れて移動するとき、錠止部材３２２の上方移動が自由になる。コードラント３１４を回動するとき、筐体内板および筐体外板３１８、３２０のスロット３１００、３１０２を画定する壁が、錠止部材３２２が頂面３３４上へと滑動するまで、スロット３１００、３１０２内部で錠止部材３２２を押し上げる。コードラント３１４を前側に回動し続けると、図８で最も適切に分かるように、錠止部材３２２を頂面３３４に沿って滑動させる。一旦、錠止部材３２２が頂面３３４上に達すると、第１ギヤ板３２５が解放され、再びばね３７６が第２ギヤ板３２７を第１回動方向に偏倚し、第１ギヤ板３２５を回動させると共に、錠止部材３２２と係合するためにカム板３２４を解放することができる。カム面３７２は、再びスロット３１００、３１０２内部の錠止部材３２２を偏倚して錠止部材３２２を頂面３３４に押し付ける。
【００４２】
一旦、コードラント３１４が十分に前側に回動したら、錠止部材３２２は、頂面３３４から離れて爪歯部分３１６上へと滑動する。カム板３２４からの力のために、錠止部材３２２は、直ちに第１爪歯３２６と係合し、コードラント３１４を腕３１２に対して第１前傾位置に保持する。
【００４３】
複数の別の前側固定位置は、再び第１ギヤ板３２５を操作して錠止部材３２２の円弧面３８８から切り離すことによって得られる。一旦切り離すと、錠止部材３２２は、所望の位置が得られるまで爪歯３１６全体にわたって移動可能である。所望の位置が得られたら、第１ギヤ板３２５を解放し、再び錠止部材３２２を偏倚して爪歯部分３１６の特定の歯３２６と噛み合わせる。
【００４４】
コードラント３１４を腕３１２に対して直立位置まで戻すためには、再び第１ギヤ板３２５を回動し、それによって第２ギヤ板３２７をばね３７６の偏倚力に逆らって回動させ、カム板３２４が錠止部材３２２から切り離すようにカム板３２４を回動させる。コードラント３１４が後向きに回動するとき、錠止部材３２２は、第２側面３３６に隣接する引込み位置から肩３３０の頂面３３４上の突出位置まで移動する。特に、錠止部材３２２は、この錠止部材３２２が腕３１２の頂面３３４上へと滑動するまで、腕３１２の第２側面３３６とスロット３１００、３１０２の間に挟まれている。一旦、錠止部材３２２が頂面３３４上に達すると、第１ギヤ板３２５は解放され、再びばね３７６が第２ギヤ板３２７を第１回動方向に偏倚して、第１ギヤ板３２５が回動可能になると共に、カム板３２４を解放することができる。したがって、カム面３７２は、スロット３１００、３１０２内部の錠止部材３２２を偏倚して錠止部材３２２を頂面３３４に押し付ける。コードラント３１４が十分に後向きに回動すると、カム板３２４の偏倚によって、スロット３１００、３１０２内部で錠止部材３２２が、かど３３８に向かって滑動して第１側面３３２に対接し、それによってコードラント３１４を直立位置に保持する。
【００４５】
ギヤ組立体３２３により調節機構３１０の操作が改善され、カム板１２４を錠止部材３２２から切り離すのに必要な力を効果的に減少させる。さらには、ギヤ組立体３２３は、カム自体３２４に直接力を加えないで、第１および第２ギヤ板３２５、３２７の動きを介してカム３２４を駆動することによって、錠止部材３２２を腕３１２の第１側面３３２から切り離すとき、突然な動きまたは衝撃をいずれも防止する。
【００４６】
図１０および１１を参照すると、本発明の第４の好ましい実施形態が調節機構４１０として示してある。この調節機構４１０は一般に腕組立体４１３を含み、この組立体は、内板および外板４１８、４２０を含むコードラント４１４の間に配置され、かつこれらに枢動自在に取り付けてある。このコードラント４１４は、カム板４２４が選択的に係合する錠止部材４２２によって腕組立体に対して選択的に固定されている。
【００４７】
この腕組立体４１３は、腕４１２、リンク４１５、およびセクタ板４１７を含む。腕４１２の第１端部が、第１かど４１９、第２かど４１１、第３かど４２１、第１側面４２３、第２側面４２５、第３側面４２７、頂面４２９、および円弧面４３１を含む。第１側面４２３、第２側面４２５、および頂面４２９が固定肩を形成する。第１かど４１９は、頂面４２９に対向する第１側面４２３の基部に形成されている。第２かど４１１は、第２側面４２５と円弧面４３１が互いに交わるところに形成されている。円弧面４３１は、第２かど４１１と第３かど４２１の間に形成してある。第３かど４２３は、第３側面４２７と円弧面４３１が互いに交わるところに形成されている。腕４１２の第２端部が、枢軸を設けるための第１穴４９７と直線往復型リクライニング機構に連結するための第２穴４２８を含む。
【００４８】
腕４１２は、第１枢軸４４０上で内板と外板４１８、４２０の間に配置され、かつこれらを回動自在に支持する。第１枢軸４４０は、腕４１２の穴４４２に通して受けてある。第１枢軸４４０は第１および第２円筒形延長部４４４、４４６を含み、これらは、それぞれ第１および第２穴４４８、４５０中に受け入れられ、かつこれらによって支持されている。第１枢軸４４０は、半径方向に延長し、第１と第２円筒形延長部４４４、４４６の間に配置されている支持軸受４５２をさらに含む。この支持軸受４５２は、コードラント４１４を腕４１２に対して回動自在に支持するための穴４４２中に受け入れてある支持面４５４を含む。セクタ板４１７も第１枢軸４４０によって回動自在に支持され、腕４１２と内板４１８の間に配置されている。
【００４９】
セクタ板４１７は、穴４３３、錠止部材凹部４３５、第１かど４３７、第２かど４３９、第１側面４４１、第２側面４４３、第３側面４４５、円弧面４４７、および頂面４４９を含む。第１かど４３７は、円弧面４４７と第１側面４４１が互いに交わるところに形成されている。第２かど４３９は、錠止部材凹部４３５の基部に第２側面４４３と第３側面４４５が互いに交わることによって形成されている。第１側面４４１、第２側面４４３、および頂面４４９は固定肩を形成する。第１枢軸４４０は、セクタ板４１７を回動自在に支持するための穴４３３に通して受けてある。錠止部材凹部４３５とは反対の、セクタ板４１７の端部には、これにリンク４１５を取り付けるための穴が形成してある。リンク４１５は、第１および第２端を含み、それらの端部を貫通して穴４５１、４５３が形成されている。リンク４１５の第１端をセクタ板４１７に回動自在に取り付け、リンク４１５の第２端を固定式外部構造（図示せず）に回動自在に取り付ける。
【００５０】
カム板４２２は、筐体内板と筐体外板４１８、４２０の間に配置され、かつそれらの間に、カム板４２２の中央穴４６２を通して受けてある第２枢軸４６０によって回動自在に支持されている。第２枢軸４６０は第１および第２円筒形延長部４６４、４６６を含み、これらは、内板と外板４１８、４２０中のそれぞれの穴４６８、４７０に受け入れられ、かつこれらの穴によって支持されている。第２枢軸４６０はまた、支持面４７７を備える、半径方向に延長する支持軸受４７２を含む。第２枢軸４６０は、腕４１２の穴４６２に通して受けてあり、それによって第２枢軸４６０はコードラント４１４を支持面４７７回りに回動自在に支持する。
【００５１】
カム板４２４の一端がカム面４７２を含む。カム板４２４の第２端が、ばね４７６の第１端を繋止するための穴４７４を含み、内板４１８は、ばね４７６の第２端を繋止するための穴４７５を含む。このばね４７６は、カム板４２４を第１回動方向に回動自在に偏倚し、それによってカム面４７２を錠止部材４２２に向かって偏倚し、次に、この錠止部材が腕４１２のかどに向かって押しやられて、この腕の第１側面に対接する。この位置では、コードラント４１４が、腕４１２に対して第１直立位置に保持されている。横部材４７８が、内板と外板４１８、４２０のそれぞれの穴４８４、４８６中に受け入れた円筒形延長部４８０、４８２を含む。この横部材４７８は、コードラント４１４が腕４１２に対して後向きに回動するのを阻止するために腕４１２の面に接触する。
【００５２】
錠止部材４２２は、幅広端にカム板４２４のカム面４７２と係合するための円弧面４８８と幅狭端に配置した突端４９０を有するくさび形部材である。この突端４９０は、コードラント４１４を腕４１２に対して固定するために、セクタ板の錠止部材凹部と係合するようになされている。リブ４９２、４９４が、錠止部材４２２の面４９６、４９８から垂直に延長する。これらのリブ４９２、４９４は、内板および外板４１８、４２０のそれぞれのスロット４１００、４１０２内部で滑動可能に支持し、錠止部材４２２をこれらの内板と外板の間で滑動可能にする。錠止部材４２２は、それが腕組立部とカム板４２４の間に界接するとき、スロット４１００、４１０２中を滑動する。カム板４２４は円弧面４８８に作用して錠止部材４２２を腕４１２に対して偏倚する。
【００５３】
図１２および１３をさらに参照して、調節機構４１０の動作を詳細に説明する。第４の好ましい実施形態では、調節機構４１０によってコードラント４１４を腕４１２に対して前側に枢動可能になり、かつ水平位置すなわち平らに折り畳んだ位置で固定することができる。コードラント４１４を前側に折り畳むためには、カム板４２４をばね４７６の偏倚力に逆らって回動し、カム面４７２を押しやって錠止部材４２２の円弧面４８８に沿って滑動させ、この円弧面から切り離す。したがって、錠止部材４２２のリブ４９２、４９４は、錠止部材４２２が腕４１２の第１側面４２３に隣接する引込み位置からこの腕の頂面４２９上の突出部まで移動するとき、筐体内板および筐体外板４１８、４２０のスロット４１００、４１０２中で自由に滑動する。特に、カム板４２４がばね４７６の偏倚に逆らって回動するとき、錠止部材４２２は腕４１２の第１側面４２３とスロット４１００、４１０２の間で挟まれている。カム面４７２が錠止部材４２２との阻止係合から外れて移動するとき、錠止部材４２２の上方移動が自由になる。コードラント４１４が回動するとき、筐体内板および筐体外板４１８、４２０のスロット４１００、４１０２を画定する壁が、錠止部材４２２が腕４１２の頂面４２９上へと滑動するまで、スロット４１００、４１０２内部で錠止部材４２２を押し上げる。コードラント４１４を前側に回動し続けると、錠止部材４２２を腕４１２の頂面４２９に沿って滑動させ、最終的に腕４１２の頂面４２９からセクタ板４１７の頂面４４９に移す。一旦、錠止部材４２２が腕４１２またはセクタ板４１７の頂面４２９、４４９上に達すると、カム板４２４が解放され、再びばね４７６がカム板４２４を第１回動方向に偏倚することができる。カム面４７２は、再びスロット４１００、４１０２内部の錠止部材４２２を偏倚し、カム板４２４の解放時点におけるコードラント４１４の前側位置に応じて、腕４１２またセクタ板４１７のいずれか一方または両方の頂面４２９、４４９に錠止部材４２２を押し付ける。
【００５４】
一旦、コードラント４１４が十分前側に回動したら、錠止部材４２２は、セクタ板４１７の頂面４４９から離れて錠止部材凹部４３５中へと滑動する。カム板４２４の偏倚のために、錠止部材４２２が直ちに錠止部材凹部４３５と係合し、コードラント４１４の背面４８５が相対的に水平位置すなわち平らに折り畳んだ位置に保持される。
【００５５】
錠止部材４２２が、腕４１２の頂面４２９からセクタ板４１７の頂面４４９へ移る、セクタ板上の点は、腕４１２とコードラント４１４の間における初期の相対的関係によって決まる。図１２で最も適切に分かるように、腕の水平面に対する相対角度Ｘによって、腕４１２とコードラント４１４の間の角度Ｙが決まり、次いで錠止部材４２２が、錠止部材凹部４３５に達する前にセクタ板４１７上を移動しなければならない距離が決まる。特に、腕４１２が回動するとき（リクライニングのために）、リンク４１５は、水平面に対する錠止部材４２２の配向が一定の状態に留まって、コードラント４１４の背面４８５を水平状態に保つことができるようにセクタ板４１７を回動する。しかし、腕４１２が回動するとき、リンク４１５の腕４１２に対する相対位置は変化し、さらにセクタ板４１７の腕４１２とコードラント４１４の両方に対する相対位置も変化する。例えば、腕４１２とコードラント４１４の底面４９５の間の初期角度Ｙが増大すると、図１２および１３でＱとして示した、腕４１２の第２側４２３とセクタ板４１７の第２側面４４３の間の距離が減少する。したがって、腕４１２とコードラント４１４の底面４９５の初期角度Ｙが大きければ大きいほど（または角度Ｘが小さければ小さいほど）、錠止部材４２２が、錠止部材凹部４３５に達するためにセクタ板４１７の頂面４４９上を移動しなければならない距離はそれだけ短くなる。リンク４１５の連結部を介してセクタ板４１７と腕４１２が相対的に回動すると、対応してコードラント４１４の背面４８５を相対的に水平位置に維持するために、セクタ板４１７のコードラント４１４に対する相対位置を変化させる。
【００５６】
コードラント４１４を腕４１２に対して直立位置に戻すためには、再びカム板４２４をばね４７６の偏倚力に逆らって回動し、カム板４２４を錠止部材４２２から切り離す。コードラント４１４が後向きに回動すると、錠止部材４２２が、錠止部材凹部４３５中の引込み位置からセクタ板４１７の頂面４４９上の突出位置へ移動する。特に、錠止部材４２２がセクタ板４１７の頂面４４９上へと滑動するまで、錠止部材４２２は、錠止部材凹部４３５とスロット４１００、４１０２の中で係合している。一旦、錠止部材４２２が、セクタ板４１７または腕４１２の頂面４４９、４２９上に達すると、カム板４２４が解放され、再びばね４７６がカム板４２４を第１回動方向に偏倚することができる。したがって、カム面４７２は、スロット４１００、４１０２内部の錠止部材４２２を偏倚して、セクタ板４１７または腕４１２の頂面４４９、４２９に錠止部材４２２を押し付ける。コードラント４１４が十分に後向きに回動すると、錠止部材４２２が、セクタ板４１７の頂面４４９から腕４１２の頂面４２９へ移る。錠止部材４２２が、セクタ板４１７の頂面４４９から腕４１２の頂面４２９へ移る前に移動しなければならない相対的距離Ｑは、先に論じたように、腕４１２とコードラント４１４の間の初期角度Ｙに依存する。コードラント４１４が十分に後向きに回動すると、カム板４２４の偏倚によって、錠止部材４２２が、スロット４１００、４１０２内部で腕４１２の第１かど４１９に向かって滑動して第１側面４２３に対接し、それによってコードラント４１４を直立位置に固定する。
【００５７】
特に図１４および１５を参照すると、本発明の第５の好ましい実施形態が調節機構５１０として示してある。この調節機構５１０は一般に腕組立体５１３を含み、この組立体は、内板および外板５１８、５２０を含むコードラント５１４の間に配置され、かつこれらに枢動自在に取り付けてある。このコードラント５１４は、ギヤ組立体５２３を介して駆動されるカム板５２２が選択的に係合する錠止部材５２２によって腕組立体５１３に対して選択的に固定してある。
【００５８】
ギヤ組立体５２３は、内板と外板５１８、５２０の間に回動自在に支持されたカム板５２４と、それぞれが内板と外板５１８、５２０の間に回動自在に支持された第１および第２ギヤ板５２５、５２７を含む。カム板５２４は、カム板５２４の中央穴５５８に通して受けてある第２枢軸５５６によって回動自在に支持されている。第２枢軸５５６は第１および第２円筒形延長部５６０、５６２を含み、これらは、それぞれ第１および第２穴５６４、５６６中に受け入れられ、これらの穴によって支持されている。第２枢軸５５６はまた、半径方向に延長し、第１と第２円筒形延長部５６０、５６２の間に配置されている支持軸受５６８を含む。この支持軸受５６８は、カム板５２４を回動自在に支持するための穴５５８中に受け入れてある支持面５７０を含む。
【００５９】
第１ギヤ板５２５は、中央部５３１、駆動アーム５３３、およびケーブル（図示せず）と相互連結するためのケーブル解放穴５７４を含む。第１ギヤ板５２５は、下でさらに論じるように、第２ギヤ板５２７と噛合い係合するために中央部５３１から半径方向に延長する一連の歯５３５をさらに含む。中央部５３１は、コードラント５１４の内板５２０に回動自在に取り付けるために、この中央部の中に形成した円筒形柱部５３７をさらに含む。円筒係柱部５３７は、支持面を含み、内板３１８中に形成した穴５４１に通して受けてある。本発明は、第１ギヤ板５２５内部に形成されている円筒形柱部５３７を含むが、この円筒形柱部５３７は、適切な手段によって第１ギヤ板５２５に付着された別体の部材でもよいことを想定しており、それは本発明の範囲内と考えるべきである。
【００６０】
第２ギヤ板５２７は、中央部５４３と、係合面５７１を有する反動アーム５４５を含む。中央部５４３は、下でさらに論じるように、第１ギヤ板５２５と噛合い係合するために、この中央部から半径方向に延長する一連の歯５４７を含む。中央部５４３は、コードラント５１４の内板および外板５１８、５２０に回動自在に取り付けるために、この中央部の中に形成した第１および第２円筒形柱部５４９、５５１をさらに含む。コイルばね５７６の第１端が、第２円筒形柱部５５１に付着し、外板５２０は、ばね５７６の第２端を繋止するための穴５７５を含む。ばね５７６は、第２ギヤ板５２７を第１回動方向に回動自在に偏倚し、次に、それによって第１ギヤ板５２５を第２回動方向に回動し、それによってカム面５７２を錠止部材５２２に向かって偏倚し、次いで、この錠止部材が、腕５１２のかど５３８に向かって押しやられて、この腕の第１側面５３２に対接する。この位置では、コードラント５１４が腕５１２に対して第１直立位置に保持される。第１および第２円筒形柱部５４９、５５１は、支持面を含み、内板および外板５１８、５２０中に形成した穴５５３、５５５に通して受けてある。本発明は、第２ギヤ板５２７内部に形成されている円筒形柱部５４９、５５１を含むが、この円筒形柱部５４９、５５１は、適切な手段によって第２ギヤ板５２７に付着された別体の部材でもよいことを想定しており、それは本発明の範囲内と考えるべきである。反動アーム５４５は、調節機構５１０の駆動時にカム板５２４と相互作用するための係合面５５７を含む。
【００６１】
カム板５２４は、それを貫通して形成した取付け穴５５８、カム面５７２を有する第１アーム５６１、および調節機構５１０の駆動時に第２ギヤ板５２７と相互作用するための係合面５６５を有する第２アーム５６３を含む。横部材５７８が、内板および外板５１８、５２０のそれぞれの穴５８４、５８６の中に受け入れた円筒形延長部５８０、５８２を含む。この横部材５７８は、コードラント５１４を腕５１２に対して後向きに回動するのを阻止するために、腕５１２の面５７９に接触する。
【００６２】
錠止部材５２２は、幅広端にカム板５２４のカム面５７２と係合するための円弧面５８８と、幅狭端に配置した突端５９０を有するくさび形部材である。この突端５９０は、コードラント５１４を腕５１２に対して固定するための錠止部材凹部と係合するようになされている。リブ５９２、５９４が、錠止部材５２２の面５９６、５９８から垂直に延長する。これらのリブ５９２、５９４は、内板および外板５１８、５２０のそれぞれのスロット５１００、５１０２の内部で滑動自在に支持され、錠止部材５２２をこれらの内板と外板の間で滑動可能にする。錠止部材５２２は、それが腕５１２とカム板５２４の間に界接するとき、スロット５１００、５１０２中で滑動する。カム板５２４は、円弧面５８８に作用して錠止部材５２２を腕５１２およびセクタ板５１７に対して偏倚する。
【００６３】
この腕組立体５１３は、腕５１２、リンク５１５、およびセクタ板５１７を含む。腕の第１端部が、第１かど５１９、第２かど５１１、第３かど５２１、第１側面５２３、第２側面５２５、第３側面５２７、頂面５２９、および円弧面５３１を含む。第１側面５２３、第２側面５２５、および頂面５２９が固定肩を形成する。第１かど５１９は、頂面５２９に対向する第１側面５２３の基部に形成してある。第２かど５１１は、第２側面５２５と円弧面５３１が互いに交わるところに形成してある。円弧面５３１は、第２かど５１１と第３かど５２１の間に形成してある。第３かど５２１は、第３側面５２７と円弧面５３１が互いに交わるところに形成してある。腕５１２の第２端部が、枢軸を設けるための第１穴５９７と直線往復型リクライニング機構に連結するための第２穴５２８を含む。
【００６４】
腕５１２は、第１枢軸５４０上で内板と外板５１８、５２０の間に配置され、かつこれらを回動自在に支持する。第１枢軸５４０は、腕５１２の穴５４２に通して受けてある。第１枢軸５４０は、第１および第２円筒形延長部５４４、５４６を含み、これらは、それぞれ第１および第２穴５４８、５５０中に受け入れられ、かつこれらによって支持されている。第１枢軸５４０は、半径方向に延長し、第１と第２円筒形延長部５４４、５４６の間に配置されている支持軸受５５２をさらに含む。この支持軸受５５２は、コードラント５１４を腕５１２に対して回動自在に支持するために穴５４２中に受け入れてある支持面５５４を含む。セクタ板も同様に第１枢軸５４０によって回動自在に支持され、腕５１２と内板５１８の間に配置されている。
【００６５】
セクタ板５１７は、穴５３３、錠止部材凹部５３５、第１かど５３７、第２かど５３９、第１側面５４１、第２側面５４３、第３側面５４５、円弧面５４７、および頂面５４９を含む。第１側面５４１、第２側面５４３、および頂面５４９は、固定肩を形成する。第１かど５３７は、円弧面５４７と第１側面５４１の交差するところに形成してある。第２かど５３９は、錠止部材凹部５３５の基部に第２側面５４３と第３側面５４５が互いに交わることによって形成してある。第１枢軸５４０は、セクタ板５１７を回動自在に支持するための穴５３３に通して受けてある。錠止部材凹部５３５とは反対の、セクタ板５１７の端部には、これにリンク５１５を取り付けるための穴が形成してある。リンク５１５は、第１および第２端を含み、それらの端部を貫通し穴５５１、５５３が形成してある。リンク５１５の第１端をセクタ板５１７に回動自在に取り付け、リンク５１７の第２端を固定式外部構造（図示せず）に回動自在に取り付ける。
【００６６】
特に図１４および１５を参照して、調節機構５１０の操作を詳細に説明する。第５の好ましい実施形態では、調節機構５１０が、コードラント５１４を腕５１２に対して前側に枢動可能にし、水平位置、すなわち平らに折り畳んだ位置に固定することができる。コードラント５１４を前側に折り畳むためには、第１ギヤ板５２５の駆動アーム５３３に力を加える。この加えた力が、第１ギヤ板５２５を回動させ、次に、それによってばね５７６の偏倚に逆らって第２ギヤ板５２７が回動する。第２ギヤ５２７が回転すると、反動アーム５４５の係合面５７１がカム板５２４の第１アーム５６１から解放される。第２ギヤ板５２７がさらに回動すると、反動アーム５４５がカム板５２４の第２アーム５６３に対して作用する。第２ギヤ板５２７とカム板５２４の第２アーム５６３が係合すると、カム板５２４を回動させ、カム面５７２を押しやって錠止部材５２２の円弧面５８８から切り離す。したがって、錠止部材５２２のリブ５９２、５９４は、錠止部材５２２が第１側面５２３に隣接する引込み位置から腕５１２の頂面５２９上の突出位置まで移動するとき、筐体内板および筐体外板５１８、５２０のスロット５１００、５１０２中を自由に滑動する。
【００６７】
特に、カム板５２４がばね５７６の偏倚に逆らって回動するとき、錠止部材５２２は、腕５１２の第１側面５２３とスロット５１００、５１０２の間に挟まれている。カム面５７２が錠止部材５２２との阻止係合から外れて移動するとき、錠止部材５２２の上方移動が自由になる。コードラント５１４を回動するとき、筐体内板および筐体外板５１８、５２０のスロット５１００、５１０２を画定する壁が、錠止部材５２２が腕５１２の頂面５２９上へと滑動するまで、スロット５１００、５１０２内部で錠止部材５２２を押し上げる。コードラント５１４を前側に回動し続けると、錠止部材５２２を腕５１２の頂面５２９に沿って滑動させ、最終的に、腕５１２の頂面５２９からセクタ板５１７の頂面５４９に移すが、この腕とセクタ板の一部は重なっている。一旦、錠止部材５２２が腕５１２またはセクタ板５１７の頂面５２９、５４９上に達すると、第１ギヤ板５２５が解放され、再びばね５７６が第２ギヤ板５２７を第１回動方向に偏倚し、第１ギヤ板５２５を回動させると共に、カム板５２４を解放することができる。カム面５７２は、再びスロット５１００、５１０２内部の錠止部材５２２を偏倚して、第１ギヤ板５２５の解放時点におけるコードラント５１４の前側移動に応じて、錠止部材５２２を腕５１２またはセクタ板５１７のいずれか一方または両方の頂面５２９、５４９に押し付ける。
【００６８】
一旦、コードラント５１４が十分前側に回動したら、錠止部材５２２は、セクタ板５１７の頂面５４９から離れて錠止部材凹部５３５中へと滑動する。カム板５２４の力のために、錠止部材５２２が直ちに錠止部材凹部５３５と係合し、コードラント５１４の背面５８５が相対的に水平位置すなわち平らに折り畳んだ位置に保持される。
【００６９】
錠止部材５２２が、腕５１２の頂面５２９からセクタ板５１７の頂面５４９へ移る、セクタ板５１７上の点は、腕５１２とコードラント５１４の間における初期の相対的関係によって決まる。腕５１２の水平面に対する相対角度Ｘ（図１２および１３参照）によって、腕５１２とコードラント５１４の間の角度Ｙ（図１２および１３参照）が決まり、次いで錠止部材５２２が、錠止部材凹部５３５に達する前にセクタ板５１７上を移動しなければならない距離Ｑ（図１２および１３参照）が決まる。腕５１２が回動するとき、リンク５１５は、水平面に対する錠止部材５２２の配向が一定の状態に留まって、コードラント５１４の背面５８５を水平状態に保つことができるようにセクタ板５１７を回動する。しかし、腕５１２が回動するとき、リンク５１５の腕５１２に対する相対位置は変化し、したがってセクタ板５１７の腕５１２に対する相対位置も変化する。例えば、腕５１２とコードラント５１４の底面５９５の間の初期角度Ｙが増大すると、腕５１２の第２側面５２５とセクタ板５１７の第２側面５４３の間の距離が減少する。したがって、腕５１２とコードラント５１４の底面５９５の初期角度Ｙが大きければ大きいほど、錠止部材５２２が、錠止部材凹部５３５に達するためにセクタ板５１７の頂面５４９上を移動しなければならない距離はそれだけ短くなる。リンク５１５の連結部を介してセクタ板５１７と腕５１２が相対的に回動すると、対応してコードラント５１４の背面５８５を相対的に水平位置に維持するために、セクタ板５１７のコードラント５１４に対する相対位置を変化させる。
【００７０】
コードラント５１４を腕５１２に対して直立位置まで戻すためには、再び第１ギヤ板５２５を回動し、それによって第２ギヤ板５２７をばね５７６の偏倚力に逆らって回動させ、カム板５２４が錠止部材５２２から切り離すようにカム板５２４を回動させる。コードラント５１４が後向きに回動するとき、錠止部材５２２は、錠止部材凹部５３５中の引込み位置からセクタ板５１７の頂面５４９上の突出位置まで移動する。特に、錠止部材５２２は、この錠止部材５２２がセクタ板５１７の頂面５４９上へと滑動するまで、錠止部材凹部５３５とスロット５１００、５１０２の間に係合している。一旦、錠止部材５２２がセクタ板５４９または腕５１２の頂面５４９、５２９上に達すると、第１ギヤ板５２５は解放され、再びばね５７６が第２ギヤ板５２７を第１回動方向に偏倚して、第１ギヤ板５２５が回動可能になると共に、カム板５２４を解放することができる。したがって、カム面５７２は、スロット５１００、５１０２内部の錠止部材５２２を再び偏倚して錠止部材５２２をセクタ板５１７または腕５１２の頂面５４９、５２９に押し付ける。
【００７１】
コードラント５１４が十分に後向きに回動すると、錠止部材５２２が、セクタ板５１７の頂面５４９から腕５１２の頂面５２９へ移る。この錠止部材５２２が、セクタ板５１７の頂面５４９から腕５１２の頂面５４９へ移る前に移動しなければならない相対的距離は、先に説明したように、腕５１２とコードラント５１４の間の初期角度Ｙに依存する。コードラント５１４が十分に後向きに回動すると、カム板５２４の偏倚が、腕５１２の第１かど５１９に向かってスロット５１００、５１０２内部の錠止部材５２２を滑動させて第１側面５２３に対接させ、それによってコードラント５１４を直立位置に固定する。
【００７２】
本調節機構３１０、４１０、５１０の第３、第４、および第５実施形態は、図６ａ、６ｂ、６ｃおよび７の座席組立体２００に関して説明したものと同様に、座席組立体で使用するために適合し得ることが分かる。したがって、詳細な説明は既に述べた。一般的に言えば、リクライニング機構３１０によって、操作者は、第１および第２ギヤ板３２５、３２７を介するギヤ減速によって、より容易に錠止部材３２２を解除して、背もたれ２０２を座部２０４に対して幾つかの前畳み位置の１つの位置に折り畳むことができる。リクライニング機構４１０によって、座部２０４に対するリクライニング機構４１０のリクライニング位置に関わらず、背もたれ２０２を一定の前畳み水平位置に維持することができる。リクライニング機構５１０は、錠止部材５２２をより容易に解除できると共に、座部２０４に対するリクライニング機構５１０のリクライニング位置に関わらず、一定の前畳み水平位置に維持するためのリクライニング機構３１０、４１０の特徴を兼ね備える
【００７３】
好ましい実施形態を参照して、本発明を本明細書に説明しかつ図面に例示してきたが、特許請求の範囲に記載した本発明の範囲から逸脱せずに、様々な変更が実施できると共に、その要素に代えて均等物を代用できることは当業者には明らかである。さらには、本発明の本質的な範囲から逸脱せずに、本発明の教示に対して数多くの変更を実施して特定の状況または材料に適合させることができる。したがって、本発明を実施するために企図した、現時点における最良の形態として図面によって例示しかつ本明細書で説明した特定の実施形態に本発明を限定するものではなく、本発明は、添付の特許請求項に記載した範囲内に入る実施形態をいずれも包含しようとするものである。
【図面の簡単な説明】
【００７４】
【図１】本発明による調節機構を示す側面図である。
【図２】本調節機構を示す分解組立斜視図である。
【図３】第１位置における、図１および２の調節機構を示す側面図である。
【図４】第２位置における、図１および図２の調節機構を示す側面図である。
【図５】本発明の調節機構の第２の実施形態を示す分解組立斜視図である。
【図６ａ】座部に対して様々な位置にある背もたれを例示する、本発明の調節機構を含む座席組立体を示す側面模式図である。
【図６ｂ】座部に対して様々な位置にある背もたれを例示する、本発明の調節機構を含む座席組立体を示す側面模式図である。
【図６ｃ】座部に対して様々な位置にある背もたれを例示する、本発明の調節機構を含む座席組立体を示す側面模式図である。
【図７】背もたれが座部に対して前畳み位置にある、本発明にしたがう座席組立体を示す側面図である。
【図８】本発明の調節機構の第３の実施形態を示す側面図である。
【図９】本発明の調節機構の第３の実施形態を示す分解組立図である。
【図１０】本発明の調節機構の第４の実施形態を示す側面図である。
【図１１】本発明の調節機構の第４の実施形態を示す分解組立図である。
【図１２】第１位置における、本発明の調節機構の第３の実施形態を示す側面図である。
【図１３】第２位置における、本発明の調節機構の第３の実施形態を示す側面図である。
【図１４】本発明の調節機構の第５の実施形態を示す側面図である。
【図１５】本発明の調節機構の第５の実施形態を示す分解組立図である。
【符号の説明】
【００７５】
１０  調節機構
１２  腕
１４  コードランド
１６  爪歯部分
１８  内板
２０  外板
２２  錠止部材
２４  カム板
２６  爪歯
２８、２９  穴
３０  肩
３２  第１側面
３４、３９  頂面
３６  第２側面
３８  かど
４０  第１枢軸
４２  穴
４４  第１円筒形延長部
４６  第２円筒形延長部
４８  第１穴
５０  第２穴
５２  支持軸受
５４  支持面
５６  第２枢軸
５８  中央穴
６０  第１円筒形延長部
６２  第２円筒形延長部
６４  第１穴
６６  第２穴
６８  支持軸
７０  支持面
７２  カム面
７４、７５  穴
７６  ばね
７８  横部材
８０、８２  円筒形延長部
８４、８６  穴
８８  円弧面
９０  ノッチ
９２、９４  リブ
９６、９８  面
１００、１０２  スロット
１１０  調節機構
１１２  腕
１１４  コードランド
１１６  内板
１１８  外板
１２０  錠止部材
１２２  カム板
１２４  第１かど
１２６  第２かど
１２８  第１側面
１３０  第１頂面
１３２  第２頂面
１３４  円弧面
１３６  第２側面
１３８  第３頂面
１４０  第１穴
１４２  第２穴
１４４  第１枢軸
１４６  第１円筒形延長部
１４８  第２円筒形延長部
１５０、１５２  穴
１５４  支持軸受
１５８  穴
１６０  第２枢軸
１６２  中央穴
１６４  第１円筒形延長部
１６６  第２円筒形延長部
１６８  内板の穴
１７０  外板の穴
１７２  支持軸受
１７４  軸受面
１７６  カム面
１７８  穴
１８０  ばね
１８２  タブ
１８４、１９６  スロット
１８６  リブ
１８８  円弧面
２００  座席組立体
２０２  背もたれ
２０４  座部
２０６  リクライニング機構
２０８  ハンドル
２１０  枢軸
２１２  ハンドル
３１０  調節機構、リクライニング機構
３１２  腕
３１４  コードランド
３１８  内板
３１６  爪歯部分
３２０  外板
３２２  錠止部材
３２３  ギヤ組立体
３２４  カム板
３２５  第１ギヤ板
３２６  第１爪歯
３２７  第２ギヤ板
３２８、３２９  穴
３３０  肩
３３１  中央穴
３３２  第１側面
３３３  駆動アーム
３３４  頂面
３３６  第２側面
３３７  円筒形柱部
３３８  かど
３３９  頂面
３４０  第１枢軸
３４１  穴
３４２  穴
３４３  中央部
３４４  第１円筒形延長部
３４５  反動アーム
３４６  第２円筒形延長部
３４７  歯
３４８  第１穴
３４９  第１円筒形柱部
３５０  第２穴
３５１  第２円筒形柱部
３５２  支持軸受穴
３５４  支持面
３５６  第２枢軸
３５７  係合面
３５８  取付け穴
３６０  第１円筒形延長部
３６１  第１アーム
３６２  第２円筒形延長部
３６３  第２アーム
３６４  第１穴
３６５  係合面
３６６  第２穴
３６８  支持軸受
３７０  支持面
３７１  係合面
３７２  カム面
３７４  ケーブル解放穴
３７５  穴
３７６  ばね
３７８  横部材
３８０、３８２  円筒形延長部
３８４  内板の穴
３８６  外板の穴
３８８  円弧面
３９０  ノッチ
３９２、３９４  リブ
３９６、３９８  面
３１００、３１０２  スロット
４１０  調節機構
４１１  第２かど
４１２  腕
４１３  腕組立体
４１４  コードランド
４１５  リンク
４１７  セクタ板
４１８  筐体内板
４１９  第１かど
４２０  筐体外板
４２１  第３かど
４２２  錠止部材、カム板
４２３  第１側面
４２４  カム板
４２５  第２側面
４２７  第３側面
４２８  第２穴
４２９  頂面
４３１  円弧面
４３３  穴
４３５  錠止部材凹部
４３７  第１かど
４３９  第２かど
４４０  第１枢軸
４４１  第１側面
４４３  第２側面
４４５  第３側面
４４７  円弧面
４４９  頂面
４４２  穴
４４４  第１円筒形延長部
４４６  第２円筒形延長部
４４８  第１穴
４４９  頂面
４５０  第２穴
４５１、４５３  穴
４５２  支持軸受
４５４  支持面
４６０  第２枢軸
４６２  中央穴
４６４  第１円筒形延長部
４６６  第２円筒形延長部
４６８  内板の穴
４７０  外板の穴
４７２  カム面
４７４  穴
４７６  ばね
４７７  支持面
４８０、４８２  円筒形延長部
４８４  内板の穴
４８５  背面
４８６  外板の穴
４８８  円弧面
４９０  突端
４９２、４９４  リブ
４９５  底面
４９７  第１穴
４９６、４９８  面
４１００、４１０２  スロット
５１０  調節機構、リクライニング機構
５１１  第２かど
５１２  腕
５１３  腕組立体
５１４  コードランド
５１５  リンク
５１７  セクタ板
５１８  筐体内板
５１９  第１かど
５２０  筐体外板
５２１  第３かど
５２２  錠止部材
５２３  ギヤ組立体、第１側面
５２４  カム板
５２５  第１ギヤ板、第２側面
５２７  第２ギヤ板、第３側面
５２８  第２穴
５２９  頂面
５３１  中央部、円弧面
５３３  駆動アーム、穴
５３５  歯、錠止部材凹部
５３７  円筒形柱部、第１かど
５３８  かど
５３９  第２かど
５４０  第１枢軸
５４１  穴、第１側面
５４２  穴
５４３  中央部、第２側面
５４４  第１円筒形延長部
５４５  反動アーム
５４６  第２円筒形延長部
５４５  反動アーム、第３側面
５４７  歯、円弧面
５４９  第１円筒形柱部、頂面
５５１  第２円筒形柱部、穴
５５２  支持軸受
５５３  穴
５５３、５５５  穴
５５４  支持面
５５６  第２枢軸
５５７  係合面
５５８  中央穴
５６０  第１円筒形延長部
５６１  第１アーム
５６２  第２円筒形延長部
５６３  第２アーム
５６４  第１穴
５６５  係合面
５６６  第２穴
５６８  支持軸受
５７０  支持面
５７１  係合面
５７２  カム面
５７４  解放穴
５７５  穴
５７６  コイルばね
５７８  横部材
５７９  面
５８０、５８２  円筒形延長部
５８４  内板の穴
５８５  背面
５８６  外板の穴
５８８  円弧面
５９０  突端
５９２、５９４  リブ
５９５  底面
５９６、５９８  面
５９７  第１穴
５１００、５１０２  スロット
【国際公開パンフレット】
2004522549.tif 000003
2004522549.tif 000004
2004522549.tif 000005
2004522549.tif 000006
2004522549.tif 000007
2004522549.tif 000008
2004522549.tif 000009
2004522549.tif 000010
2004522549.tif 000011
2004522549.tif 000012
2004522549.tif 000013
2004522549.tif 000014
2004522549.tif 000015
2004522549.tif 000016
2004522549.tif 000017
2004522549.tif 000018
2004522549.tif 000019
2004522549.tif 000020
2004522549.tif 000021
2004522549.tif 000022
2004522549.tif 000023
2004522549.tif 000024
2004522549.tif 000025
2004522549.tif 000026
2004522549.tif 000027
2004522549.tif 000028
2004522549.tif 000029
2004522549.tif 000030
2004522549.tif 000031
2004522549.tif 000032
2004522549.tif 000033
2004522549.tif 000034
2004522549.tif 000035
2004522549.tif 000036
2004522549.tif 000037
2004522549.tif 000038
2004522549.tif 000039
2004522549.tif 000040
2004522549.tif 000041
2004522549.tif 000042
2004522549.tif 000043
2004522549.tif 000044
2004522549.tif 000045
2004522549.tif 000046
2004522549.tif 000047
2004522549.tif 000048
2004522549.tif 000049
【国際公開パンフレット（コレクトバージョン）】
2004522549.tif 000050
2004522549.tif 000051
【国際調査報告】
2004522549.tif 000052